(57)【要約】【課題】打撃時に打者が手に感じるしびれを低減させることができる手袋、打撃部材およびグリップ部材を提供する。【解決手段】手袋１は、打撃部材２の根元側に位置する装着者の一方の手１０１を受け入れ可能な第１手袋１Ａと、打撃部材２の先端２２側に位置する装着者の他方の手１０２を受け入れ可能な第２手袋１Ｂとを備えている。第１手袋１Ａは、一方の手１０１の手掌側に配置された第１緩衝部材を含んでいる。第２手袋１Ｂは、他方の手１０２の手掌側に配置された第２緩衝部材を含んでいる。第１緩衝部材は、第２緩衝部材よりも打撃部材２が振動したときの低周波振動成分を低減させる材料で構成されている。第２緩衝部材は、第１緩衝部材よりも打撃部材２が振動したときの高周波振動成分を低減させる材料で構成されている。【選択図】図１
2018158003.tif 000002
【特許請求の範囲】
【請求項１】
打撃部材を把持する装着者の両手に装着される一対の手袋であって、
前記打撃部材の根元側に位置する前記装着者の一方の手を受け入れ可能な第１手袋と、
前記一方の手よりも前記打撃部材の先端側に位置する前記装着者の他方の手を受け入れ可能な第２手袋とを備え、
前記第１手袋は、前記一方の手の手掌側に配置された第１緩衝部材を含み、
前記第２手袋は、前記他方の手の手掌側に配置された第２緩衝部材を含み、
前記第１緩衝部材は、前記第２緩衝部材よりも前記打撃部材が振動したときの低周波振動成分を低減させる材料で構成されており、
前記第２緩衝部材は、前記第１緩衝部材よりも前記打撃部材が振動したときの高周波振動成分を低減させる材料で構成されている、手袋。
【請求項２】
前記第１手袋は、
前記一方の手の手掌を受け入れ可能な第１手掌部と、
前記一方の手の人差し指、中指、薬指および小指をそれぞれ受け入れ可能な第１人差し指部、第１中指部、第１薬指部および第１小指部とを含み、
前記第１緩衝部材は、前記第１手掌部から前記第１人差し指部、前記第１中指部、前記第１薬指部および前記第１小指部のそれぞれに跨って配置されており、
前記第２手袋は、前記他方の手の手掌を受け入れ可能な第２手掌部を含み、
前記第２緩衝部材は、前記第２手掌部に配置されている、請求項１に記載の手袋。
【請求項３】
前記第１手袋は、前記一方の手の親指を受け入れ可能な親指部を含み、
前記第１手掌部は、前記一方の手の小指球を覆う小指球部を含み、
前記第１緩衝部材は、前記親指部に配置されており、かつ前記小指球部から前記小指部に跨って配置されており、
前記第２手袋は、前記他方の手の人差し指、中指、薬指および小指をそれぞれ受け入れ可能な第２人差し指部、第２中指部、第２薬指部および第２小指部を含み、
前記第２緩衝部材は、前記第２人差し指部、前記第２中指部、前記第２薬指部および前記第２小指部にそれぞれ配置されている、請求項２に記載の手袋。
【請求項４】
前記第１緩衝部材はゲルであり、
前記第２緩衝部材はゴムである、請求項１〜３のいずれか１項に記載の手袋。
【請求項５】
本体部材と、
前記本体部材に取り付けられたグリップ部材とを備え、
前記グリップ部材は、
前記本体部材の根元側に配置された第１緩衝部材と、
前記第１緩衝部材よりも前記本体部材の先端側に配置された第２緩衝部材とを含み、
前記第１緩衝部材は、前記第２緩衝部材よりも前記本体部材が振動したときの低周波振動成分を低減させる材料で構成されており、
前記第２緩衝部材は、前記第１緩衝部材よりも前記本体部材が振動したときの高周波振動成分を低減させる材料で構成されている、打撃部材。
【請求項６】
前記第１緩衝部材はゲルであり、
前記第２緩衝部材はゴムである、請求項５に記載の打撃部材。
【請求項７】
打撃部材の本体部材に取り付けられるグリップ部材であって、
前記本体部材の根元側に配置された第１緩衝部材と、
前記第１緩衝部材よりも前記本体部材の先端側に配置された第２緩衝部材とを備え、
前記第１緩衝部材は、前記第２緩衝部材よりも前記本体部材が振動したときの低周波振動成分を低減させる材料で構成されており、
前記第２緩衝部材は、前記第１緩衝部材よりも前記本体部材が振動したときの高周波振動成分を低減させる材料で構成されている、グリップ部材。
【請求項８】
前記第１緩衝部材はゲルであり、
前記第２緩衝部材はゴムである、請求項７に記載のグリップ部材。
【発明の詳細な説明】
【技術分野】
【０００１】
本発明は、手袋、打撃部材およびグリップ部材に関するものである。
【背景技術】
【０００２】
従来、打撃部材の一例としての野球用バットでの打撃時などに用いられる手袋において、衝撃の緩和が図られたものがある。たとえば、特開２０１１−２２９７３１号公報（特許文献１）には、衝撃の十分な緩衝性能を発揮する手袋が記載されている。
【先行技術文献】
【特許文献】
【０００３】
【特許文献１】特開２０１１−２２９７３１号公報
【発明の概要】
【発明が解決しようとする課題】
【０００４】
一般的に、打撃時に野球用バットの撃芯からボールが外れると、打者は手にしびれを感じることが知られている。しかしながら、上記公報に記載された手袋においては、野球用バットの撃芯でボールが打たれたときの緩衝性能が検討されており、野球用バットの撃芯を外してボールが打たれたときの緩衝性能は十分に改善されていない。したがって、打撃時に打者が手に感じるしびれを低減させることは想定されていない。
【０００５】
本発明は上記課題に鑑みてなされてものであり、その目的は、打撃時に打者が手に感じるしびれを低減させることができる手袋、打撃部材およびグリップ部材を提供することである。
【課題を解決するための手段】
【０００６】
本発明の手袋は、打撃部材を把持する装着者の両手に装着される一対の手袋である。手袋は、打撃部材の根元側に位置する装着者の一方の手を受け入れ可能な第１手袋と、一方の手よりも打撃部材の先端側に位置する装着者の他方の手を受け入れ可能な第２手袋とを備えている。第１手袋は、一方の手の手掌側に配置された第１緩衝部材を含んでいる。第２手袋は、他方の手の手掌側に配置された第２緩衝部材を含んでいる。第１緩衝部材は、第２緩衝部材よりも打撃部材が振動したときの低周波振動成分を低減させる材料で構成されている。第２緩衝部材は、第１緩衝部材よりも打撃部材が振動したときの高周波振動成分を低減させる材料で構成されている。
【０００７】
発明者等は、鋭意検討した結果、打撃時の打点位置および打者の左右の手によりしびれの感じ方が異なることを見出した。具体的には、打撃時の打点位置が打撃部材の撃芯位置より先端側に位置するときには打者は根元側に位置する手にしびれを感じやすく、打撃時の打点位置が打撃部材の撃芯位置より根元側に位置するときには打者は先端側に位置する手にしびれを感じやすいことを発明者等は見出した。そして、打撃時の打点位置が打撃部材の撃芯位置より先端側に位置するときには根元側で低周波振動成分が大きくなり、打撃時の打点位置が打撃部材の撃芯位置より根元側に位置するときには先端側で高周波成分が大きくなることを発明者等は見出した。
【０００８】
本発明の手袋によれば、打撃時の打点位置が打撃部材の撃芯位置より先端側に位置するときには根元側の低周波振動成分を第１緩衝部材により低減させることができる。また、打撃時の打点位置が打撃部材の撃芯位置より根元側に位置するときには先端側の高周波成分を第２緩衝部材により低減させることができる。したがって、打撃時に打者が手に感じるしびれを低減させることができる。
【０００９】
上記の手袋において好ましくは、第１手袋は、一方の手の手掌を受け入れ可能な第１手掌部と、一方の手の人差し指、中指、薬指および小指をそれぞれ受け入れ可能な第１人差し指部、第１中指部、第１薬指部および第１小指部とを含んでいる。第１緩衝部材は、第１手掌部から第１人差し指部、第１中指部、第１薬指部および第１小指部のそれぞれに跨って配置されている。第２手袋は、他方の手の手掌を受け入れ可能な第２手掌部を含んでいる。第２緩衝部材は、第２手掌部に配置されている。
【００１０】
打撃時の打点位置が打撃部材の撃芯位置より先端側に位置するときに打撃時の衝撃によって打撃部材が回転したり、打撃部材が振動により曲がることにより一方の手が押圧される。このとき、第１手掌部から第１人差し指部、第１中指部、第１薬指部、第１小指部のそれぞれに跨る位置が強く押圧される。これらの位置に第１緩衝部材が配置されているため、根元側の低周波振動成分を第１緩衝部材により効果的に低減させることができる。また、打撃時の打点位置が打撃部材の撃芯位置より根元側に位置するときに打撃時の衝撃によって打撃部材により他方の手の第２手掌部が押し込まれる。第２緩衝部材が第２手掌部に配置されているため、先端側の高周波成分を第２緩衝部材により効果的に低減させることができる。
【００１１】
上記の手袋において好ましくは、第１手袋は、一方の手の親指を受け入れ可能な親指部を含んでいる。第１手掌部は、一方の手の小指球を覆う小指球部を含んでいる。第１緩衝部材は、親指部に配置されており、かつ小指球部から小指部に跨って配置されている。第２手袋は、他方の手の人差し指、中指、薬指および小指をそれぞれ受け入れ可能な第２人差し指部、第２中指部、第２薬指部および第２小指部を含んでいる。第２緩衝部材は、第２人差し指部、第２中指部、第２薬指部および第２小指部にそれぞれ配置されている。
【００１２】
打撃時の打点位置が打撃部材の撃芯位置より先端側に位置するときに打撃時の衝撃によって打撃部材が回転したり、打撃部材が振動により曲がることにより一方の手の第１親指部および小指球が押圧される。第１緩衝部材が第１親指部に配置されており、かつ小指球部から第１小指部に跨って配置されているため、根元側の低周波振動成分を第１緩衝部材によりさらに効果的に低減させることができる。また、打撃時の打点位置が打撃部材の撃芯位置より根元側に位置するときに打撃時の衝撃によって打撃部材により他方の手の第２人差し指部、第２中指部、第２薬指部および第２小指部のそれぞれが押し込まれる。このとき、第２緩衝部材が第２人差し指部、第２中指部、第２薬指部および第２小指部にそれぞれ配置されているため、先端側の高周波成分を第２緩衝部材によりさらに効果的に低減させることができる。
【００１３】
上記の手袋において好ましくは、第１緩衝部材はゲルであり、第２緩衝部材はゴムである。このため、打撃部材の根元側の低周波振動成分をゲルにより低減させることができ、打撃部材の先端側の高周波成分をゴムにより低減させることができる。
【００１４】
本発明の打撃部材は、本体部材と、本体部材に取り付けられたグリップ部材とを備えている。グリップ部材は、本体部材の根元側に配置された第１緩衝部材と、第１緩衝部材よりも本体部材の先端側に配置された第２緩衝部材とを含んでいる。第１緩衝部材は、第２緩衝部材よりも本体部材が振動したときの低周波振動成分を低減させる材料で構成されている。第２緩衝部材は、第１緩衝部材よりも本体部材が振動したときの高周波振動成分を低減させる材料で構成されている。
【００１５】
本発明の打撃部材によれば、打撃時の打点位置が打撃部材の撃芯位置より先端側に位置するときには根元側の低周波振動成分を第１緩衝部材により低減させることができる。また、打撃時の打点位置が打撃部材の撃芯位置より根元側に位置するときには先端側の高周波成分を第２緩衝部材により低減させることができる。したがって、打撃時に打者が手に感じるしびれを低減させることができる。
【００１６】
上記の打撃部材において好ましくは、第１緩衝部材はゲルであり、第２緩衝部材はゴムである。このため、打撃部材の根元側の低周波振動成分をゲルにより低減させることができ、打撃部材の先端側の高周波成分をゴムにより低減させることができる。
【００１７】
本発明のグリップ部材は、打撃部材の本体部材に取り付けられるグリップ部材である。グリップ部材は、本体部材の根元側に配置された第１緩衝部材と、第１緩衝部材よりも本体部材の先端側に配置された第２緩衝部材とを備えている。第１緩衝部材は、第２緩衝部材よりも本体部材が振動したときの低周波振動成分を低減させる材料で構成されている。第２緩衝部材は、第１緩衝部材よりも本体部材が振動したときの高周波振動成分を低減させる材料で構成されている。
【００１８】
本発明のグリップ部材によれば、打撃時の打点位置が打撃部材の撃芯位置より先端側に位置するときには根元側の低周波振動成分を第１緩衝部材により低減させることができる。また、打撃時の打点位置が打撃部材の撃芯位置より根元側に位置するときには先端側の高周波成分を第２緩衝部材により低減させることができる。したがって、打撃時に打者が手に感じるしびれを低減させることができる。
【００１９】
上記のグリップ部材において好ましくは、第１緩衝部材はゲルであり、第２緩衝部材はゴムである。このため、打撃部材の根元側の低周波振動成分をゲルにより低減させることができ、打撃部材の先端側の高周波成分をゴムにより低減させることができる。
【発明の効果】
【００２０】
以上説明したように、本発明によれば、打撃時に打者が手に感じるしびれを低減させることができる。
【図面の簡単な説明】
【００２１】
【図１】本発明の実施の形態１における手袋を装着した装着者が打撃部材の把持部を握った状態を概略的に示す正面図である。
【図２】本発明の実施の形態１における手袋のうち左手用手袋を手掌側から見た状態を概略的に示す図である。
【図３】本発明の実施の形態１における手袋のうち左手用手袋を手の甲側から見た状態を概略的に示す図である。
【図４】本発明の実施の形態１における手袋のうち右手用手袋を手掌側から見た状態を概略的に示す図である。
【図５】本発明の実施の形態１における手袋のうち右手用手袋を手の甲側から見た状態を概略的に示す図である。
【図６】装着者の左手を手掌側から見た場合の左手の外観および骨格ならびに第１緩衝部材の配置を概略的に示す模式図である。
【図７】装着者の右手を手掌側から見た場合の右手の外観および骨格ならびに第２緩衝部材の配置を概略的に示す模式図である。
【図８】本発明の実施の形態２における打撃部材としての野球用バットを概略的に示す正面図である。
【図９】図８のＩＸ−ＩＸ線に沿う端面図である。
【図１０】図８のＸ−Ｘ線に沿う端面図である。
【図１１】図８のＸＩ−ＸＩ線に沿う端面図である。
【図１２】図８のＸＩＩ−ＸＩＩ線に沿う端面図である。
【図１３】本発明の実施の形態２における打撃部材の変形例としてのゴルフクラブを概略的に示す斜視図である。
【図１４】本発明の実施の形態３におけるグリップ部を概略的に示す斜視図である。
【図１５】実施例１の実験結果を示す図である。
【図１６】実施例２のモーダル試験の様子を示す図である。
【図１７】実施例２の加振位置と把持位置との関係を示す図である。
【図１８】図１７のピーク周波数を示す図である。
【図１９】実施例３の実験の様子を示す図である。
【図２０】実験３の実験結果を示す図である。
【図２１】図２０の振動成分を分離した結果を示す図である。
【図２２】実験４の実験の様子を示す図である。
【図２３】実験４の実験結果を示す図である。
【図２４】実験５の実験結果を示す図である。
【発明を実施するための形態】
【００２２】
以下、図面に基づいて本発明の実施の形態を説明する。なお、以下の図面において同一または対応する部分には同一の参照符号を付し、その説明を繰り返さない。
【００２３】
（実施の形態１）
図１〜図７を参照して、本発明の実施の形態１における手袋１の構成について説明する。
【００２４】
図１に示されるように、本実施の形態における手袋１は、打撃部材２を把持する装着者の両手に装着される一対の手袋である。図１では、打撃部材２として野球用バットが例示されており、手袋１として野球用手袋が例示されている。この野球用バットはソフトボール用バットを含んでいる。なお、手袋１は野球用手袋に限定されず、ゴルフ用手袋などのスポーツ用手袋であってもよい。また、この手袋１は右打者用の手袋である。
【００２５】
手袋１は、第１手袋１Ａおよび第２手袋１Ｂを備えている。第１手袋１Ａは、装着者の両手のうち一方の手１０１を受け入れ可能に構成されている。装着者の一方の手１０１は打撃部材２の根元２１側に位置する。ここでは、この一方の手１０１は左手であり、第１手袋１Ａは左手に装着される左手用手袋である。第２手袋１Ｂは、装着者の両手のうち一方の手１０１とは反対側の他方の手１０２を受け入れ可能に構成されている。装着者の他方の手１０２は一方の手１０１よりも打撃部材２の先端２２側に位置する。ここでは、この他方の手１０２は右手であり、第２手袋１Ｂは右手に装着される右手用手袋である。本発明では、打撃部材２において、打撃物を打撃する側を「先端側」と呼び、打撃物を打撃する側とは異なる端部側を「根元側」と呼ぶ。
【００２６】
図２〜図７に示されるように、第１手袋１Ａおよび第２手袋１Ｂはそれぞれ装着者の手掌を覆う手掌部と、手掌部の反対側に位置する手の甲を覆う手甲部とを備えている。また、第１手袋１Ａおよび第２手袋１Ｂはそれぞれ装着者の片手の各指に対応する各指部を備えている。
【００２７】
具体的には、図２および図３に示されるように、第１手袋１Ａは、第１手掌部１３Ａと、第１手甲部１４Ａと、第１親指部１５Ａ１（親指部）と、第１人差し指部１５Ａ２と、第１中指部１５Ａ３と、第１薬指部１５Ａ４と、第１小指部１５Ａ５とを含んでいる。第１手掌部１３Ａは、図６に示される一方の手１０１の手掌１０１Ａを受け入れ可能に構成されている。第１手掌部１３Ａは、小指球部１３Ａ１および母指球部１３Ａ２を含んでいる。小指球部１３Ａ１は、一方の手１０１の小指球を覆うように構成されている。母指球部１３Ａ２は、一方の手１０１の母指球を覆うように構成されている。第１手甲部１４Ａは、一方の手１０１の手の甲を受け入れ可能に構成されている。
【００２８】
第１親指部１５Ａ１、第１人差し指部１５Ａ２、第１中指部１５Ａ３、第１薬指部１５Ａ４および第１小指部１５Ａ５は、図６に示される一方の手１０１の親指１０１Ｂ１、人差し指１０１Ｂ２、中指１０１Ｂ３、薬指１０１Ｂ４および小指１０１Ｂ５をそれぞれ受け入れ可能に構成されている。第１親指部１５Ａ１、第１人差し指部１５Ａ２、第１中指部１５Ａ３、第１薬指部１５Ａ４および第１小指部１５Ａ５は、親指１０１Ｂ１、人差し指１０１Ｂ２、中指１０１Ｂ３、薬指１０１Ｂ４および小指１０１Ｂ５のそれぞれの全体を収容するように構成されている。第１親指部１５Ａ１、第１人差し指部１５Ａ２、第１中指部１５Ａ３、第１薬指部１５Ａ４および第１小指部１５Ａ５は互いに独立している。
【００２９】
また、図４および図５に示されるように、第２手袋１Ｂは、第２手掌部１３Ｂと、第２手甲部１４Ｂと、第２親指部１５Ｂ１と、第２人差し指部１５Ｂ２と、第２中指部１５Ｂ３と、第２薬指部１５Ｂ４と、第２小指部１５Ｂ５とを含んでいる。第２手掌部１３Ｂは、図７に示される他方の手１０２の手掌１０２Ａを受け入れ可能に構成されている。第２手甲部１４Ｂは、他方の手１０２の手の甲を受け入れ可能に構成されている。
【００３０】
第２親指部１５Ｂ１、第２人差し指部１５Ｂ２、第２中指部１５Ｂ３、第２薬指部１５Ｂ４および第２小指部１５Ｂ５は、図７に示される他方の手１０２の親指１０２Ｂ１、人差し指１０２Ｂ２、中指１０２Ｂ３、薬指１０２Ｂ４および小指１０２Ｂ５をそれぞれ受け入れ可能に構成されている。第２親指部１５Ｂ１、第２人差し指部１５Ｂ２、第２中指部１５Ｂ３、第２薬指部１５Ｂ４および第２小指部１５Ｂ５は、親指１０２Ｂ１、人差し指１０２Ｂ２、中指１０２Ｂ３、薬指１０２Ｂ４および小指１０２Ｂ５のそれぞれの全体を収容するように構成されている。第２親指部１５Ｂ１、第２人差し指部１５Ｂ２、第２中指部１５Ｂ３、第２薬指部１５Ｂ４および第２小指部１５Ｂ５は互いに独立している。
【００３１】
図２に示されるように、第１手袋１Ａは、一方の手１０１の手掌側に配置された第１緩衝部材１１を含んでいる。図４に示されるように、第２手袋１Ｂは、他方の手１０２の手掌側に配置された第２緩衝部材１２を含んでいる。
【００３２】
図２および図４に示されるように、第１緩衝部材１１は、第２緩衝部材１２よりも打撃部材２が振動したときの低周波振動成分を低減させる材料で構成されている。第２緩衝部材１２は、第１緩衝部材１１よりも打撃部材２が振動したときの高周波振動成分を低減させる材料で構成されている。本実施の形態では、第１緩衝部材１１はシリコーンゲルであり、第２緩衝部材１２は天然ゴムである。たとえば、シリコーンゲルはアスカーＣ硬度３６であり、天然ゴムはアスカーＣ硬度７２である。これらのアスカーＣ硬度は、アスカーＣ硬度計を用いた計測値であり、表面硬度である。第１緩衝部材１１および第２緩衝部材１２のそれぞれの厚みは、たとえば０．５ｍｍ以上５ｍｍ以下である。
【００３３】
第１緩衝部材１１および第２緩衝部材１２のそれぞれは、たとえば第１手袋１Ａおよび第２手袋１Ｂの表面の部材（天然皮革または人工皮革よりなる外皮）上に配置され、第１緩衝部材１１および第２緩衝部材１２のそれぞれに被せられたカバー部材の外周部が第１手袋１Ａおよび第２手袋１Ｂの表面の部材に縫い付けられることにより第１手袋１Ａおよび第２手袋１Ｂの表面の部材に固定されている。また、第１緩衝部材１１および第２緩衝部材１２を、第１手袋１Ａおよび第２手袋１Ｂの表面の部材として直接配置してもよい。例えば、第１緩衝部材１１および第２緩衝部材１２を、第１手袋１Ａおよび第２手袋１Ｂの外皮に隣接するように縫い付けたり、あるいは接着してもよい。
【００３４】
第１緩衝部材１１および第２緩衝部材１２はそれぞれ打撃時に打撃部材２の打球面側に位置する領域と、その対極に位置する領域とを少なくとも覆うように配置されていればよい。続いて、本実施の形態における第１緩衝部材１１および第２緩衝部材１２の好ましい配置を説明する。
【００３５】
図２に示されるように、第１緩衝部材１１は、第１手掌部１３Ａから第１人差し指部１５Ａ２、第１中指部１５Ａ３、第１薬指部１５Ａ４および第１小指部１５Ａ５のそれぞれに跨って配置されている。つまり、第１緩衝部材１１は、第１手掌部１３Ａと、第１人差し指部１５Ａ２、第１中指部１５Ａ３、第１薬指部１５Ａ４および第１小指部１５Ａ５のそれぞれとの境界に配置されている。例えば、第１緩衝部材１１は、各指の付け根から各指の第２指節間関節までの長さを覆う範囲と、各指を覆う範囲と同じだけの長さを、各指の付け根から掌側に被覆した範囲に配置される。第１緩衝部材１１は、第１手掌部１３Ａの各指側の先端部から第１人差し指部１５Ａ２、第１中指部１５Ａ３、第１薬指部１５Ａ４および第１小指部１５Ａ５のそれぞれの第１手掌部１３Ａ側の根元部まで配置されている。第１緩衝部材１１は、第１手掌部１３Ａの各指側の先端部において第１親指部１５Ａ１側の端部から第１小指部１５Ａ５側の端部に跨って配置されている。このため、装着者が第１手袋１Ａを装着して打撃部材２を把持して打撃するときに、第１手袋１Ａが打撃部材２に強く接触する位置に第１緩衝部材１１を配置することができる。
【００３６】
第１緩衝部材１１は、第１人差し指部１５Ａ２、第１中指部１５Ａ３、第１薬指部１５Ａ４および第１小指部１５Ａ５のそれぞれの中央部および先端部には配置されていない。このため、装着者は、第１手袋１Ａを装着して打撃部材２を把持して打撃するときに、第１人差し指部１５Ａ２、第１中指部１５Ａ３、第１薬指部１５Ａ４および第１小指部１５Ａ５のそれぞれを曲げやすい。
【００３７】
第１緩衝部材１１は、第１手掌部１３Ａの根元部には配置されていない。このため、装着者は第１手袋１Ａを一方の手１０１に装着しやすい。第１緩衝部材１１は、小指球部１３Ａ１から第１小指部１５Ａ５に跨って配置されている。第１緩衝部材１１は、第１手掌部１３Ａの中央部には小指球部１３Ａ１および母指球部１３Ａ２を除いて配置されていない。このため、装着者は第１手袋１Ａを装着した状態で打撃部材２を把持しやすい。また、第１緩衝部材１１は、第１親指部１５Ａ１に配置されている。第１緩衝部材１１は、第１親指部１５Ａ１の第１手掌部１３Ａ側の根元部から中央部に跨って配置されている。このため、装着者が第１手袋１Ａを装着して打撃部材２を把持して打撃するときに、第１手袋１Ａが打撃部材２に接触する位置に第１緩衝部材１１を配置することができる。第１緩衝部材１１は、第１親指部１５Ａ１の先端部には配置されていない。このため、装着者は、第１手袋１Ａを装着して打撃部材２を把持するときに、第１親指部１５Ａ１を曲げやすい。
【００３８】
図４に示されるように、第２緩衝部材１２は、第２手掌部１３Ｂに配置されている。第２緩衝部材１２は、第２手掌部１３Ｂの各指側の先端部には配置されていない。このため、装着者は、第２手袋１Ｂを装着した状態で打撃部材２を把持しやすい。第２緩衝部材１２は、第２手掌部１３Ｂの中央部に配置されている。第２緩衝部材１２は、第２手掌部１３Ｂの中央部において第２親指部１５Ｂ１側の端部から第２小指部１５Ｂ５側の端部に跨って配置されている。第２緩衝部材１２は、第２親指部１５Ｂ１側から第２小指部１５Ｂ５側に向けて幅が広くなるように配置されている。このため、装着者が第２手袋１Ｂを装着して打撃部材２を把持して打撃するときに、第２手袋１Ｂが打撃部材２に強く接触する位置に第２緩衝部材１２を配置することができる。第２緩衝部材１２は、第２手掌部１３Ｂの根元側には配置されていない。このため、装着者は第２手袋１Ｂを一方の手１０１に装着しやすい。
【００３９】
第２緩衝部材１２は、第２人差し指部１５Ｂ２、第２中指部１５Ｂ３、第２薬指部１５Ｂ４および第２小指部１５Ｂ５にそれぞれ配置されている。第２緩衝部材１２は、第２人差し指部１５Ｂ２、第２中指部１５Ｂ３、第２薬指部１５Ｂ４および第２小指部１５Ｂ５のそれぞれの第２手掌部１３Ｂ側の根元部から中央部に跨って配置されている。このため、装着者が第２手袋１Ｂを装着して打撃部材２を把持して打撃するときに、第２手袋１Ｂが打撃部材２に接触する位置に第２緩衝部材１２を配置することができる。第２緩衝部材１２は、第２人差し指部１５Ｂ２、第２中指部１５Ｂ３、第２薬指部１５Ｂ４および第２小指部１５Ｂ５のそれぞれの先端部には配置されていない。このため、装着者は、第２手袋１Ｂを装着して打撃部材２を把持するときに、第２人差し指部１５Ｂ２、第２中指部１５Ｂ３、第２薬指部１５Ｂ４および第２小指部１５Ｂ５のそれぞれを曲げやすい。第２緩衝部材１２は、第２親指部１５Ｂ１には配置されていない。このため、装着者は、第２手袋１Ｂを装着して打撃部材２を把持するときに、第２親指部１５Ｂ１を曲げやすい。
【００４０】
図２および図６を参照して、第１緩衝部材１１の配置について、装着者の左手の骨との対応を用いて説明する。図６では、装着者の左手を手掌側から見た場合の左手の外観および骨格が示されている。また、説明の便宜のため、図６では第１緩衝部材１１の位置は実線で示されている。
【００４１】
図６に示されるように、人差し指１０１Ｂ２、中指１０１Ｂ３、薬指１０１Ｂ４、小指１０１Ｂ５のそれぞれにおいては、指先側から順に末節骨１１１、中節骨１１２、基節骨１１３、中手骨１１４が配列されている。末節骨１１１と中節骨１１２とは互いに遠位指節間関節１２１を介して接続されている。中節骨１１２と基節骨１１３とは近位指節間関節１２２を介して接続されている。基節骨１１３と中手骨１１４とは中手指節関節１２３を介して接続されている。中手骨１１４の基節骨１１３側の端部には膨出部１１４Ａが配置されている。親指１０１Ｂ１においては、指先側から順に末節骨１１１、基節骨１１３、中手骨１１４が配列されている。親指１０１Ｂ１においては、末節骨１１１と基節骨１１３とは第１指節間関節１２４を介して接続されており、基節骨１１３と中手骨１１４とは中手指節関節１２３を介して接続されている。
【００４２】
第１緩衝部材１１は、装着者の左手の手掌側において、人差し指１０１Ｂ２、中指１０１Ｂ３、薬指１０１Ｂ４および小指１０１Ｂ５の各指の中手骨１１４の基節骨１１３側の先端部（膨出部１１４Ａ）から各指の中手指節関節１２３を介して基節骨１１３の中手骨１１４側の根元部に跨って配置されている。第１緩衝部材１１は、人差し指１０１Ｂ２、中指１０１Ｂ３、薬指１０１Ｂ４および小指１０１Ｂ５の各指の中手骨１１４の基節骨１１３側の先端部（膨出部１１４Ａ）のそれぞれに跨って配置されている。第１緩衝部材１１は、人差し指１０１Ｂ２、中指１０１Ｂ３、薬指１０１Ｂ４および小指１０１Ｂ５の各指における基節骨１１３の中節骨１１２側の先端部から末節骨１１１の中節骨１１２と反対側の先端部までは配置されていない。第１緩衝部材１１は、人差し指１０１Ｂ２、中指１０１Ｂ３および薬指１０１Ｂ４の各指の中手骨１１４の基節骨１１３側の先端部（膨出部１１４Ａ）と手根骨１３０との間には配置されていない。また、第１緩衝部材１１は親指１０１Ｂ１を除いて、手根骨１３０にも配置されていない。第１緩衝部材１１は、小指１０１Ｂ５の中手骨１１４の手根骨１３０側の根元部から基節骨１１３の中手骨１１４側の根元部に跨って配置されている。第１緩衝部材１１は、小指１０１Ｂ５の中手骨１１４に沿って配置されている。また、第１緩衝部材１１は、親指１０１Ｂ１の手根骨１３０から中手骨１１４、中手指節関節１２３を介して末節骨１１１側の基節骨１１３まで跨って配置されている。
【００４３】
図４および図７を参照して、第２緩衝部材１２の配置について、装着者の右手の骨との対応を用いて説明する。図７では、装着者の右手を手掌側から見た場合の右手の外観および骨格が示されている。また、説明の便宜のため、図７では第２緩衝部材１２の位置は実線で示されている。
【００４４】
図７に示されるように、第２緩衝部材１２は、人差し指１０２Ｂ２、中指１０２Ｂ３、薬指１０２Ｂ４および小指１０２Ｂ５の各指の中手骨１１４の中央部のそれぞれに跨って配置されている。
【００４５】
第２緩衝部材１２は、装着者の右手の手掌側において、人差し指１０２Ｂ２、中指１０２Ｂ３、薬指１０２Ｂ４および小指１０２Ｂ５の各指の中手骨１１４の基節骨１１３側の先端部には配置されていない。第２緩衝部材１２は、人差し指１０２Ｂ２、中指１０２Ｂ３、薬指１０２Ｂ４および小指１０２Ｂ５の各指の中手骨１１４の手根骨１３０側の根元部には配置されていない。また、第２緩衝部材１２は手根骨１３０にも配置されていない。第２緩衝部材１２は、人差し指１０２Ｂ２、中指１０２Ｂ３、薬指１０２Ｂ４および小指１０２Ｂ５の各指の基節骨１１３の中手骨１１４側の根元部から各指の近位指節間関節１２２を介して中節骨１１２の基節骨１１３側の根元部に跨って配置されている。第２緩衝部材１２は、人差し指１０２Ｂ２、中指１０２Ｂ３、薬指１０２Ｂ４および小指１０２Ｂ５の各指の中節骨１１２の末節骨１１１側の先端部から末節骨１１１の中節骨１１２と反対側の先端部までは配置されていない。また、第２緩衝部材１２は、親指１０１Ｂ１には配置されていない。
【００４６】
上記では、第１親指部１５Ａ１、第１人差し指部１５Ａ２、第１中指部１５Ａ３、第１薬指部１５Ａ４および第１小指部１５Ａ５が、親指１０１Ｂ１、人差し指１０１Ｂ２、中指１０１Ｂ３、薬指１０１Ｂ４および小指１０１Ｂ５のそれぞれの全体を収容するように構成されている場合について説明した。しかしながら、第１親指部１５Ａ１、第１人差し指部１５Ａ２、第１中指部１５Ａ３、第１薬指部１５Ａ４および第１小指部１５Ａ５は、親指１０１Ｂ１、人差し指１０１Ｂ２、中指１０１Ｂ３、薬指１０１Ｂ４および小指１０１Ｂ５のそれぞれの少なくとも根元部を収容していればよい。
【００４７】
また、上記では手袋１が右打者用の手袋である場合について説明したが、手袋１は左打者用の手袋であってもよい。手袋１が左打者用の手袋である場合には、右打者用の手袋とは左右の手袋の構成が逆になる。つまり、装着者の右手が一方の手１０１となり左手が他方の手１０２となるため、右手に装着される手袋が第１手袋１Ａとなり左手に装着される手袋が第２手袋１Ｂとなる。
【００４８】
次に、本実施の形態における手袋１の作用効果について説明する。
発明者等は、打撃時の打点位置および打撃部材を把持する左右の手によりしびれの感じ方が異なることを見出した。具体的には、打撃時の打点位置が打撃部材２の撃芯よりも先端２２側に位置するときには打者は根元２１側に位置する手にしびれを感じやすく、打撃時の打点位置が打撃部材２の撃芯よりも根元２１側に位置するときには打者は先端２２側に位置する手にしびれを感じやすいことを発明者等は見出した。そして、打撃時の打点位置が打撃部材２の先端２２側に位置するときには根元２１側で低周波振動成分が大きくなり、打撃時の打点位置が打撃部材２の根元２１側に位置するときには先端２２側で高周波成分が大きくなることを発明者等は見出した。
【００４９】
本実施の形態の手袋１によれば、打撃時の打点位置が打撃部材２の撃芯よりも先端２２側に位置するときには根元２１側の低周波振動成分を第１緩衝部材１１により低減させることができる。また、打撃時の打点位置が打撃部材２の撃芯よりも根元側に位置するときには先端２２側の高周波成分を第２緩衝部材１２により低減させることができる。したがって、打撃時に打者（装着者）が手に感じるしびれを低減させることができる。
【００５０】
本実施の形態の手袋１においては、打撃時の打点位置が打撃部材２の撃芯位置より先端２２側に位置するときに打撃時の衝撃によって打撃部材２が回転したり、打撃部材が振動により曲がることにより一方の手１０１が押圧される。このとき、第１手掌部１３Ａから第１人差し指部１５Ａ２、第１中指部１５Ａ３、第１薬指部１５Ａ４、第１小指部１５Ａ５のそれぞれに跨る位置が強く押圧される。これらの位置に第１緩衝部材１１が配置されているため、根元２１側の低周波振動成分を第１緩衝部材１１により効果的に低減させることができる。また、打撃時の打点位置が打撃部材２の撃芯位置より根元２１側に位置するときに打撃時の衝撃によって打撃部材２により他方の手１０２の第２手掌部１３Ｂが押し込まれる。第２緩衝部材１２が第２手掌部１３Ｂに配置されているため、先端２２側の高周波成分を第２緩衝部材１２により効果的に低減させることができる。
【００５１】
本実施の形態の手袋１においては、打撃時の打点位置が打撃部材２の撃芯よりも先端２２側に位置するときに打撃時の衝撃によって打撃部材２が回転したり、打撃部材が振動により曲がることにより一方の手１０１の第１親指部１５Ａ１および小指球部１３Ａ１が押圧される。第１緩衝部材１１が第１親指部１５Ａ１に配置されており、かつ小指球部１３Ａ１から第１小指部１５Ａ５に跨って配置されているため、根元２１側の低周波振動成分を第１緩衝部材１１によりさらに効果的に低減させることができる。また、打撃時の打点位置が打撃部材２の撃芯よりも根元側に位置するときに打撃時の衝撃によって打撃部材２により他方の手１０２の第２人差し指部１５Ｂ２、第２中指部１５Ｂ３、第２薬指部１５Ｂ４および第２小指部１５Ｂ５のそれぞれが押し込まれる。このとき、第２緩衝部材１２が第２人差し指部１５Ｂ２、第２中指部１５Ｂ３、第２薬指部１５Ｂ４および第２小指部１５Ｂ５にそれぞれ配置されているため、先端２２側の高周波成分を第２緩衝部材１２によりさらに効果的に低減させることができる。
【００５２】
本実施の形態の手袋１においては、第１緩衝部材１１はゲルであり、具体的にはシリコーンゲルである。第２緩衝部材１２はゴムであり、具体的には天然ゴムである。このため、根元２１側の低周波振動成分をシリコーンゲルにより低減させることができ、先端２２側の高周波成分を天然ゴムにより低減させることができる。第１緩衝部材１１のゲルは、シリコーンゲルの他に、ウレタン系ゲル、スチレン系ゲル、アクリル系ゲルなどを使用することができる。第２緩衝部材１２のゴムは、天然ゴムの他に、イソプレンゴム、ブタジエンゴム、アクリルゴム、シリコーンゴム、ウレタンゴム、スチレンーブタジエンゴムなどを使用することができる。
【００５３】
（実施の形態２）
図８〜図１２を参照して、本発明の実施の形態２における打撃部材２の構成について説明する。
【００５４】
図８では、本実施の形態の打撃部材２として野球用バットが例示されている。野球用バットの材料は、金属や木、あるいはＣＦＲＰ（Carbon Fiber Reinforced Plastic）など、材料は問わない。また、この野球用バットはソフトボール用バットを含んでいる。
【００５５】
本実施の形態における打撃部材２としての野球用バットは、本体部材２０と、グリップ部材３０とを備えている。本体部材２０は、根元２１と、先端２２と、把持部２３と、テーパ部２４と、打球部２５とを備えている。本体部材２０の材質はたとえばアルミニウム合金である。
【００５６】
把持部２３はグリップ部材３０が取り付けられる部分である。把持部２３はテーパ部２４に対して打球部２５と反対側に設けられている。把持部２３は円筒状に構成されている。グリップ部材３０は把持部２３の外周面を覆うように構成されている。
【００５７】
グリップ部材３０は、本体部材２０に取り付けられている。グリップ部材３０は、打者の両手により握られる部材である。グリップ部材３０は、第１緩衝部材３１と、第２緩衝部材３２とを含んでいる。グリップ部材３０は、第１緩衝部材３１および第２緩衝部材３２からなっていてもよい。また、グリップ部材３０は、第１緩衝部材３１および第２緩衝部材３２の他に、第１緩衝部材３１および第２緩衝部材３２の表面を覆う外装部材を有していてもよい。
【００５８】
第１緩衝部材３１は本体部材２０の根元２１側に配置されている。第２緩衝部材３２は第１緩衝部材３１よりも本体部材２０の先端２２側に配置されている。第１緩衝部材３１は、第２緩衝部材３２よりも本体部材２０が振動したときの低周波振動成分を低減させる材料で構成されている。第２緩衝部材３２は、第１緩衝部材３１よりも本体部材２０が振動したときの高周波振動成分を低減させる材料で構成されている。本実施の形態では、第１緩衝部材３１はシリコーンゲルであり、第２緩衝部材３２は天然ゴムである。たとえば、シリコーンゲルはアスカーＣ硬度３６であり、天然ゴムはアスカーＣ硬度７２である。これらのアスカーＣ硬度は、アスカーＣ硬度計を用いた計測値であり、表面硬度である。
【００５９】
図９に示されるように、第１緩衝部材３１は本体部材２０の把持部２３の外周面を全周にわたって覆っている。図１０に示されるように、第２緩衝部材３２は本体部材２０の把持部２３の外周面を全周にわたって覆っている。
【００６０】
図８、図１１および図１２に示されるように、グリップ部材３０は、グリップテープ３３が把持部２３に巻き付けられることにより構成されていてもよい。この場合、グリップテープ３３は、第１緩衝部材３１を覆う第１外装部材３３ａおよび第２緩衝部材３２の表面を覆う第２外装部材３３ｂを備えている。つまり、グリップテープ３３は、第１緩衝部材３１および第２緩衝部材３２を内包している。グリップテープ３３は、第１緩衝部材３１を内包している部分と、第２緩衝部材３２を内包している部分とが分離されている。なお、グリップテープ３３は、第１緩衝部材３１を内包している部分と、第２緩衝部材３２を内包している部分とが一体に構成されていてもよい。
【００６１】
次に、本実施の形態における打撃部材２の作用効果について説明する。
本実施の形態の打撃部材２によれば、打撃時の打点位置が打撃部材２の撃芯よりも先端２２側に位置するときには根元２１側の低周波振動成分を第１緩衝部材３１により低減させることができる。また、打撃時の打点位置が打撃部材２の撃芯よりも根元２１側に位置するときには先端２２側の高周波成分を第２緩衝部材３２により低減させることができる。したがって、打撃時に打者が手に感じるしびれを低減させることができる。
【００６２】
本実施の形態の打撃部材２においては、第１緩衝部材３１はシリコーンゲルであり、第２緩衝部材３２は天然ゴムである。このため、根元２１側の低周波振動成分をシリコーンゲルにより低減させることができ、先端側の高周波成分を天然ゴムにより低減させることができる。
【００６３】
（実施の形態３）
図１３〜図１４を参照して、本発明の実施の形態３における打撃部材２の構成について説明する。
【００６４】
図１３では、本実施の形態の打撃部材２としてゴルフクラブが例示されている。
図１３に示されるように、本実施の形態における打撃部材２としてのゴルフクラブは、把持部２３と、シャフト２６と、ヘッド２７と、グリップ部材３０とを備えている。把持部２３、シャフト２６およびヘッド２７が本体部材２０を構成している。シャフト２６の根元２１側に配置された把持部２３にグリップ部材３０が取り付けられている。シャフト２６の先端にヘッド２７が取り付けられている。グリップ部材３０は、上記と同様の第１緩衝部材３１および第２緩衝部材３２を含んでいる。
【００６５】
図１４を参照して、本発明の実施の形態３におけるグリップ部材３０の構成について説明する。
【００６６】
図１４を参照して、本実施の形態におけるグリップ部材３０は、図８に示されるような打撃部材２の本体部材２０に取り付けられるグリップ部材３０である。グリップ部材３０は、本体部材２０の根元側に配置された第１開口３０ａと、本体部材２０の先端側に配置された第２開口３０ｂと、第１開口３０ａと第２開口３０ｂとをつなぐ貫通孔３０ｃとを有している。貫通孔３０ｃに打撃部材２の本体部材２０の把持部２３が挿入される。
【００６７】
グリップ部材３０は、第１緩衝部材３１と、第２緩衝部材３２とを含んでいる。第１緩衝部材３１は、本体部材２０の根元側に配置されている。第２緩衝部材３２は、第１緩衝部材３１よりも本体部材２０の先端側に配置されている。第１緩衝部材３１は、第２緩衝部材３２よりも本体部材２０が振動したときの低周波振動成分を低減させる材料で構成されている。第２緩衝部材３２は、第１緩衝部材３１よりも本体部材２０が振動したときの高周波振動成分を低減させる材料で構成されている。第１緩衝部材３１はシリコーンゲルであり、第２緩衝部材は天然ゴムである。たとえば、シリコーンゲルはアスカーＣ硬度３６であり、天然ゴムはアスカーＣ硬度７２である。これらのアスカーＣ硬度は、アスカーＣ硬度計を用いた計測値であり、表面硬度である。
【００６８】
次に、本実施の形態におけるグリップ部材３０の作用効果について説明する。
本実施の形態のグリップ部材３０によれば、打撃時の打点位置が打撃部材２の撃芯よりも先端２２側に位置するときには根元２１側の低周波振動成分を第１緩衝部材３１により低減させることができる。また、打撃時の打点位置が打撃部材２の撃芯よりも根元２１側に位置するときには先端２２側の高周波成分を第２緩衝部材３２により低減させることができる。したがって、打撃時に打者が手に感じるしびれを低減させることができる。
【００６９】
本実施の形態のグリップ部材３０においては、第１緩衝部材３１はシリコーンゲルであり、第２緩衝部材３２は天然ゴムである。このため、根元２１側の低周波振動成分をシリコーンゲルにより低減させることができ、先端２２側の高周波成分を天然ゴムにより低減させることができる。
【実施例】
【００７０】
以下、本発明の実施例について説明する。本発明による手袋、打撃部材およびグリップ部材を構成するにあたり、以下の実験を実施した。
【００７１】
（実験１）
打撃時に野球用バットの撃芯からボールが外れた場合に、打者が手に感じるしびれを評価した。具体的には、野球用バットの撃芯が野球用バットの根元から７００ｍｍに位置する野球用バットを準備した。この野球用バットの先端側（野球用バットの根元から８００ｍｍの位置）および根元側（野球用バットの根元から６００ｍｍの位置）で打球したときに、打者は左右の手のどちらでしびれを感じたかを評価した。１１人の被験者で実験した結果を評価した。
【００７２】
図１５を参照して、打点位置が野球用バットの先端側（打点位置が野球用バットの根元から８００ｍｍの位置）の場合に、把持位置が下部（野球用バットの根元側の位置）でしびれを感じた被験者数は、把持位置が上部（野球用バットの先端側の位置）でしびれを感じた被験者数よりも多くなった。また、打点位置が野球用バットの根元側（打点位置が野球用バットの根元から６００ｍｍの位置）の場合に、把持位置が上部（野球用バットの先端側の位置）でしびれを感じた被験者数は、把持位置が下部（野球用バットの根元側の位置）でしびれを感じた被験者数よりも多くなった。なお、打点位置が野球用バットの撃芯（打点位置が７００ｍｍの位置）の場合には、しびれを感じた被験者数は把持位置が上部および下部のいずれでも２名であり全体の２割以下（２／１１）となった。
【００７３】
この結果、打点位置が野球用バットの撃芯から外れた場合には、打点位置が野球用バットの撃芯の場合に比べて、打者が手にしびれを感じることが多くなることが確認された。そして、打点位置および把持位置により被験者のしびれの感じ方が異なることがわかった。打点位置が野球用バットの撃芯位置より先端側では把持位置が下部の手で被験者はしびれを感じやすく、打点位置が野球用バットの撃芯位置より根元側では把持位置が上部の手で被験者はしびれを感じやすいことがわかった。これにより、把持位置での手の位置により特性の異なる構成を用いることで被験者が手に感じるしびれを低減させるという着想を発明者等は得た。
【００７４】
（実験２）
被験者が手に感じるしびれに影響する要因を検討するために、実験１で用いた野球用バットの固有の振動を計測した。具体的には、この野球用バットの固有の振動を計測するために、モーダル試験を実施した。図１６を参照して、このモーダル試験では、自由支持状態を想定し野球用バットのグリップエンドに接続されたゴムひもで野球用バットを吊るした。野球用バットのグリップエンドから５０ｍｍ、１５０ｍｍの位置に加速度計を貼付した。野球用バットのグリップエンドから８００ｍｍ、６００ｍｍの位置をインパクトハンマーで加振し、加速度計により振動を計測した。つまり、加振位置は野球用バットの根元から８００ｍｍおよび６００ｍｍの位置とした。また、振動計測位置（把持位置）は野球用バットの根元から５０ｍｍおよび１５０ｍｍの位置とした。なお、野球用バットの根元から５０ｍｍの位置は、根元側の掌の中央部を想定しており、１５０ｍｍの位置は、先端側の掌の中央部を想定している。
【００７５】
図１７は、加振位置および振動計測位置毎の周波数応答関数を示している。図１８は、１次振動および２次振動の周波数応答関数のピーク値を示している。図１７および図１８を参照して、加振位置が野球用バットの根元から８００ｍｍの位置（野球用バットの先端側）の場合に、把持位置が野球用バットの根元から５０ｍｍの位置（下部）での曲げ１次振動の周波数応答関数のピーク値Ｐ１は、把持位置が野球用バットの根元から１５０ｍｍの位置（上部）での曲げ１次振動の周波数応答関数のピーク値よりも大きくなった。加振位置が野球用バットの根元から６００ｍｍの位置（野球用バットの根元側）の場合に、把持位置が野球用バットの根元から１５０ｍｍの位置（上部）での曲げ２次振動の周波数応答関数のピーク値Ｐ２は、把持位置が野球用バットの根元から５０ｍｍの位置（下部）での曲げ２次振動の周波数応答関数のピーク値よりも大きくなった。
【００７６】
この結果、実験１における官能評価（打点位置が野球用バットの先端側では把持位置が下部の手で被験者はしびれを感じやすく、打点位置が野球用バットの根元側では把持位置が上部の手で被験者はしびれを感じやすいとの官能評価）と、１次振動および２次振動の周波数応答関数のピーク値とが対応していることを発明者等は見出した。
【００７７】
（実験３）
衝突試験により野球用バットにボールが衝突したときの打球位置と把持位置の振動との関係性を発明者等は評価した。具体的には、野球用バットにボールを衝突させたときの野球用バットの挙動をハイスピードカメラ（高速度カメラ）で撮影し、打球位置と把持位置の振動との関係性を発明者等は評価した。
【００７８】
図１９を参照して、野球用バットのグリップエンドに接続されたゴムひもで野球用バットを吊るした。野球用バットのグリップエンドから６００ｍｍの位置に１３５ｋｍ／ｈの速度で射出されたボール（革ソフトボール）を衝突させた。また、野球用バットのグリップエンドから８００ｍｍの位置にも同様にボールを衝突させた。高速度カメラを用いて４００００ｆｐｓで野球用バットの挙動を撮影した。野球用バットの長手方向に２５ｍｍ間隔で貼付したマーカーを追跡して、野球用バットの変形挙動を計測した。
【００７９】
図２０は、野球用バットとボールとの接触時間中における把持位置（上部、下部）毎の把持位置の積算移動量を示している。図２０を参照して、実験１における官能評価（打点位置が野球用バットの先端側では把持位置が下部の手で被験者はしびれを感じやすく、打点位置が野球用バットの根元側では把持位置が上部の手で被験者はしびれを感じやすいとの官能評価）と、把持位置の積算移動量とが対応していることがわかった。
【００８０】
図２１は、図２０の振動成分を分離した結果を示している。図２１を参照して、打点位置が野球用バットの根元側（打点位置が野球用バットの根元から６００ｍｍの位置）では把持位置が野球用バットの根元から１５０ｍｍの位置（上部）の２次成分（高周波成分）の影響が大きいことがわかった。また、打点位置が野球用バットの先端側（打点位置が野球用バットの根元から８００ｍｍの位置）では把持位置が野球用バットの根元から５０ｍｍの位置（下部）の１次成分（低周波成分）の影響が大きいことがわかった。
【００８１】
以上より、打者が手に感じるしびれを低減させるためには、把持位置の下部では低周波成分（１次、２００Ｈｚ付近）を低減させることが効果的であり、把持位置の上部では高周波成分（２次、７５０Ｈｚ付近）を低減させることが効果的であるという着想を発明者等は得た。この周波数帯は材質や構造により異なるが、例えば金属では、１次が２００Ｈｚ付近、２次が７５０Ｈｚ付近、ＦＲＰ（Fiber Reinforced Plastic）では１次が２００Ｈｚ付近、２次が７００Ｈｚ付近、木製では１次が１５０Ｈｚ付近、２次が５００Ｈｚ付近、竹製では１次が１２５Ｈｚ付近、２次が４５０Ｈｚ付近を低減させることが効果的となる。
【００８２】
（実験４）
打者の手と打撃部材との間に配置することで上記振動成分を低減するための材料を発明者等は評価した。具体的には、複数の異なる材料を緩衝部材として用いて振動を低減（周波数応答関数のピーク値を下げる）させることができるかを評価した。
【００８３】
打撃時、打者の手に、野球用バットを握ることによる能動的な圧力に加えて、衝撃による受動的な圧力が加わる。したがって、材料単体の試験では実条件を実現できないため、実条件を実現するために、圧力を付加した条件でモーダル試験を実施した。条件は次のとおりとした。
【００８４】
実験１と同様に、このモーダル試験では、野球用バットのグリップエンドに接続されたゴムひもで野球用バットを吊るした。野球用バットのグリップエンドから５０ｍｍ、１５０ｍｍの位置に加速度計を貼付した。野球用バットのグリップエンドから８００ｍｍ、６００ｍｍの位置をインパクトハンマーで加振し、加速度計により振動を計測した。
【００８５】
図２２を参照して、緩衝部材としての衝撃吸収材料を野球用バットのグリップの全周に配置した。この衝撃吸収材料の外周面に加速度センサを配置し、当該衝撃吸収材料と同じ材料で挟み込んだ。この状態で外側の衝撃吸収材料を平ゴムで包んで固定した。平ゴムの伸びを利用して野球用バットのグリップの中心方向に打撃時に打者の手に生じる圧力（４００ｇｆ／ｃｍ2）と同様の圧力が生じるように設定した。
【００８６】
衝撃吸収材料を配置しないで加速度センサのみを配置した状態と、衝撃吸収材料としてＥＶＡ、ゴム（天然ゴム）、ゲル（シリコーンゲル）の各々の試料を配置した状態とで各振動のピーク周波数を計測した。これらの試料の厚みは２ｍｍとした。
【００８７】
図２３を参照して、衝撃吸収材料を配置しないで加速度センサのみを配置した状態に比べて、ＥＶＡを配置した状態では、１次振動は７．９ｄｂ低減し、２次振動は３．４ｄｂ低減した。また、ゲル（シリコーンゲル）を配置した状態では、１次振動は２１．３ｄｂ低減している。また、ゴム（天然ゴム）を配置した状態では、２次振動は２０．６ｄｂ低減している。したがって、緩衝部材としてゲル（シリコーンゲル）を配置することにより１次振動を効果的に低減できることがわかった。また、緩衝部材としてゴム（天然ゴム）を配置することにより２次振動を効果的に低減できることがわかった。
【００８８】
（実験５）
実験３を元に、実打による官能試験を発明者等は実施した。具体的には、被験者の手と野球用バットとの間に２ｍｍの厚みの衝撃吸収材料としての上記試料を配置し、野球用バットの根元側で打球したときの把持位置上部でのしびれおよび野球用バットの先端側で打球したときの把持位置下部でのしびれを評価した。
【００８９】
衝撃吸収材料を配置しない状態でのしびれを１０段階で１０と設定したときの各試料を配置した状態のしびれを１０段階で評価した。４人の被験者で実験した結果を評価した。
【００９０】
図２４は、この評価結果の平均値を示している。図２４に示されるように、野球用バットの根元側で打球したときの把持位置の上部では、衝撃吸収材料を配置しない状態、ＥＶＡ、ゴム（天然ゴム）、ゲル（シリコーンゲル）の順にしびれの評価の平均値が小さくなった。また、野球用バットの先端側で打球したときの把持位置の下部では、衝撃吸収材料を配置しない状態、ＥＶＡ（Ethylene-Vinyl Acetate：エチレン−酢酸ビニル共重合樹脂）、ゲル（シリコーンゲル）、ゴム（天然ゴム）の順にしびれの評価の平均値が小さくなった。
【００９１】
把持位置の上部の評価結果は実験３における曲げ２次振動のピーク値に対応し、把持位置の下部の評価結果は曲げ１次振動のピーク値に対応しているため、このしびれの官能評価は実験３における実験結果に一致することを発明者等は確認した。したがって、把持位置の下部には緩衝部材としてゲル（シリコーンゲル）を配置し、把持位置の上部には緩衝部材としてゴム（天然ゴム）を配置することが最もしびれを低減できることがわかった。よって、左右の手に異なる材料を用いることで、しびれをより低減できることがわかった。
【００９２】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００９３】
１  手袋、２  打撃部材、１Ａ  第１手袋、１Ｂ  第２手袋、１１  第１緩衝部材、１２  第２緩衝部材、１３Ａ  第１手掌部、１３Ａ１  小指球部、１３Ｂ  第２手掌部、１４Ａ  第１手甲部、１４Ｂ  第２手甲部、１５Ａ１  第１親指部、１５Ａ２  第１人差し指部、１５Ａ３  第１中指部、１５Ａ４  第１薬指部、１５Ａ５  第１小指部、１５Ｂ１  第２親指部、１５Ｂ２  第２人差し指部、１５Ｂ３  第２中指部、１５Ｂ４  第２薬指部、１５Ｂ５  第２小指部、２０  本体部材、２１  根元、２２  先端、２３  把持部、２４  テーパ部、２５  打球部、２６  シャフト、２７  ヘッド、３０  グリップ部材、３１  第１緩衝部材、３２  第２緩衝部材、３３  グリップテープ、１０１  一方の手、１０２  他方の手、１１１  末節骨、１１２  中節骨、１１３  基節骨、１１４  中手骨、１１４Ａ  膨出部、１２１  遠位指節間関節、１２２  近位指節間関節、１２３  中手指節関節、１２４  第１指節間関節、１３０  手根骨。
【図１】
2018158003.tif 000003
【図２】
2018158003.tif 000004
【図３】
2018158003.tif 000005
【図４】
2018158003.tif 000006
【図５】
2018158003.tif 000007
【図６】
2018158003.tif 000008
【図７】
2018158003.tif 000009
【図８】
2018158003.tif 000010
【図９】
2018158003.tif 000011
【図１０】
2018158003.tif 000012
【図１１】
2018158003.tif 000013
【図１２】
2018158003.tif 000014
【図１３】
2018158003.tif 000015
【図１４】
2018158003.tif 000016
【図１５】
2018158003.tif 000017
【図１６】
2018158003.tif 000018
【図１７】
2018158003.tif 000019
【図１８】
2018158003.tif 000020
【図１９】
2018158003.tif 000021
【図２０】
2018158003.tif 000022
【図２１】
2018158003.tif 000023
【図２２】
2018158003.tif 000024
【図２３】
2018158003.tif 000025
【図２４】
2018158003.tif 000026